(57)【特許請求の範囲】
【請求項１】
複数枚のシートを互いに剥離可能に接着してなる積層シートであって、前記積層シートの上下各面に、レーザ光の照射による、少なくとも１個の穴を有するとともに、少なくとも１枚のシートの上面と下面において穴の配置状態が異なることを特徴とする偽造防止用シート。
【請求項２】
複数枚のシートを互いに剥離可能に接着してなる積層シートであって、前記積層シートの上下各面に、レーザ光の照射による、それぞれ複数の穴を有するとともに、これらの穴の連続的あるいは非連続的な集合体で図柄を構成し、少なくとも１枚のシートの上面と下面において図柄が異なっていることを特徴とする偽造防止用シート。
【発明の詳細な説明】
【０００１】
【産業上の利用分野】
本発明は、偽造を防止することが必要なシートに関し、特に、複数枚のシートを互いに剥離可能に接着してなる積層構造の偽造防止用シートに関するもので、例えば、小切手、商品券、各種証券類、各種チケット、各種抽選券等に適用すると好適なものである。
【０００２】
【従来の技術】
従来における偽造防止用シートとしては、既に多くの構成が知られており、例えば、特殊インキを使用したり、磁気マークを刷り込んだり、蛍光物質による隠し文字を印刷したものや、いわゆるヒドンワード、具体的には、微細構成子よりなる潜像を印刷し、その潜像周囲の白地部分に潜像よりも粗または密な微細構成子を用いて印刷を施して、肉眼で観察するときは前記潜像を識別できないが、複写機により複写すると、前記潜像が明瞭に現出して警告マークを構成するもの等がある。
【０００３】
【発明が解決しようとする課題】
ところが、上述した各従来例によると、いずれの構成にあっても、最近のコンピュータやカラーコピー機を利用したデジタル加工技術の進歩に対応しきれず、偽造防止効果は十分なものとはいえないものである。本発明は、このような事情に鑑みてなされたもので、デジタル加工技術の進歩に対応して、偽造防止効果を一段と高めた偽造防止用シートを提供することを目的とする。
【０００４】
【課題を解決するための手段】
この目的を達成するために本発明の偽造防止用シートは、複数枚のシートを互いに剥離可能に接着してなる積層構造を有する積層シートであって、この積層シートの上下各面に、レーザ光の照射による、少なくとも１個の穴を有するとともに、少なくとも１枚のシートの上面と下面においてこれら穴の配置状態が異なるものである。積層シートの上下各面に形成する穴の数は任意であり、各面に少なくとも１個の穴を形成して、全体としては複数の穴となるものである。また、上面と下面において穴の配置状態が異なるシートは、積層したすべてのシートであってもよい。
【０００５】
また、積層シートの上下各面に対して、それぞれ複数の穴を設ける場合には、これらの穴の連続的あるいは非連続的な集合体で図柄を構成し、少なくとも１枚のシートの上面と下面において、図柄が異なるように構成すると、視覚的な認識が容易になるので好適である。
【０００６】
【発明の実施の形態】
以下、本発明の好適な実施形態を添付図面に基づいて詳細に説明する。ここにおいて、図１〜図６は第１実施形態を示すもので、図１は偽造防止用シートたる抽選券の上面を示す概略的な平面図、図２はその下面を示す概略的な平面図、図３はレーザ加工した穴を示す概略的な部分拡大断面図、図４は上位シートの下面を示す概略的な平面図、図５は下位シートの上面を示す概略的な平面図、図６はレーザ加工状態を示す概略的な説明図である。また、図７〜図１０は第２実施形態を示すもので、図７は偽造防止用シートたる入場券の上面を示す概略的な平面図、図８はその下面を示す概略的な平面図、図９はレーザ加工した穴を示す概略的な部分拡大断面図、図１０は控え券となる中位シートの下面を示す概略的な平面図である。
【０００７】
まず、図１〜図６に基づいて第１実施形態を説明する。図２に示すように、偽造防止用シートたる抽選券１は、上位シート２と下位シート３を、好ましくは印字あるいは印刷が可能で、通常では接着せず所定の圧を加えると接着可能となり、接着後に剥離可能な感圧性接着剤４で、剥離可能に接着してなる２層構造の積層シートとなっている。前記感圧性接着剤４としては、感圧性で一旦接着すると剥離困難な非剥離性の接着剤基剤に、この接着剤基剤に対して非親和性を示す微粒状充てん剤を配合してなるものが好適である。
【０００８】
接着剤基剤としては、従来用いられている通常の感圧性接着剤でよいが、例えば、天然ゴムにスチレンとメタクリル酸メチルとをグラフト共重合させて得られた天然ゴムラテックスが、耐ブロッキング性、耐熱性、耐摩耗性等の点で好適である。
【０００９】
一方、微粒状充てん剤としては、接着剤基剤との親和力が小さいもの、例えば、酸化亜鉛、酸化チタン、炭酸カルシウム、カオリン、活性白土、球状アルミナ、小麦デンプン、シリカ、ガラス粉末、シラスバルーン等を挙げることができる。これらの材料は、単独でも、複数組み合わせてもよいが、特に、シリカと他の適宜な充てん剤との組み合わせが好適である。また、粒径の異なる２種類以上を組み合わせると、接着剤塗布面を凹凸状に形成しやすいので、剥離性能が向上する。シリカを添加すると、接着剤の塗膜を強化しうるとともに、その多孔質性により、接着剤が表面に付着しやすいので、接着力や剥離力を調整しやすいという利点がある。
【００１０】
図１に示すように、上位シート２の上面側には、「抽選券」という表題５と「Ｎｏ．０００１２３４５６」という９桁の抽選番号６を印刷してある。また、前記上位シート２には、前記抽選番号６の桁数と同一数の９個の穴７ａ，７ｂを、抽選券１の上面側からレーザ光を照射して設けている。これらの各穴７ａ，７ｂは、前記抽選番号６の「０００１２３４５６」という各数字の並び順に対応して、奇数の数字に対応する穴７ａは上位シート２を貫通して下位シート３にも及ぶが、この下位シート３は貫通しないように穿設し、偶数の数字に対応する穴７ｂは上位シート２のみを貫通するよう穿設している。
【００１１】
このため、抽選番号６の下４桁である「３４５６」に対応する左から６番目、７番目、８番目、９番目の各穴７ａ，７ｂは、図３に示すように、下位シート３にも及ぶ穴７ａ、上位シート２のみを貫通する穴７ｂ、下位シート３にも及ぶ穴７ａ、上位シート２のみを貫通する穴７ｂの順に左から並ぶことになる。
【００１２】
一方、図２に示すように、下位シート３の下面側には、３個の穴７ｃを、抽選券１の下面側からレーザ光を照射して設けている。これらの各穴７ｃは、上位シート２の左から３番目の穴７ｂと同４番目の穴７ａとの間、同５番目の穴７ｂと同６番目の穴７ａとの間、同７番目の穴７ｂと同８番目の穴７ａとの間、にそれぞれ対応して位置し、図３に示すように、下位シート３を貫通して上位シート２にも及ぶが、この上位シート２は貫通しないように穿設している。
【００１３】
したがって、図４に示すように、上位シート２の下面側には、抽選券１の上面側からレーザ光を照射して形成した９個の穴７ａ，７ｂと、抽選券１の下面側からレーザ光を照射して形成した３個の穴７ｃが存在し、９個の穴７ａ，７ｂが設けられた上位シート２の上面側とは異なった状態で穴７ａ，７ｂ，７ｃが配置される。
【００１４】
また、図５に示すように、下位シート３の上面側には、抽選券１の上面側からレーザ光を照射して形成した３個の穴７ａと、抽選券１の下面側からレーザ光を照射して形成した３個の穴７ｃが存在し、３個の穴７ｃのみが設けられた下位シート３の下面側とは異なった状態で穴７ａ，７ｃが配置される。
【００１５】
各穴７ａ，７ｂ，７ｃの形成は、図６に示すように、レーザ発振器１０から発せられたレーザ光１１を、ビームエキスパンダー１２を経たうえ、集光レンズ１３で焦点を合わせて、抽選券１の上位シート２の上面所定位置、あるいは下位シート３の下面所定位置に照射して行う。この抽選券１の上下面にレーザ光１１を照射するには、レーザ光１１を反射鏡やレンズを介して下面側に照射したり、抽選券１を上下反転してレーザ光１１を照射すればよい。そして、抽選券１に対するレーザ光１１の透過深度を調節することにより、上位シート２のみを貫通する穴７ｂ、あるいは上位シート２を貫通して下位シート３にも及ぶ穴７ａ、あるいは下位シート３を貫通して上位シート２にも及ぶ穴７ｃを形成するものである（図３参照）。
【００１６】
本実施形態は以上のように構成したので、抽選券１の上面、すなわち上位シート２の上面には抽選番号６の各数字に対応する９個の穴７ａ，７ｂが存在してこれらを視認できる一方、抽選券１の下面、すなわち下位シート３の下面には３個の穴７ｃが存在してこれらを視認できる状態となる。そして、抽選番号６が当選番号と一致した者が商品引き換え所に抽選券１を持参すると、抽選番号６を確認した後、上位シート２を下位シート３から捲り上げて剥離し、上位シート２の下面と下位シート３の上面に、それぞれ反対面側と異なる所定状態で穴７ａ，７ｂ，７ｃが存在すれば真正品、それ以外の場合には偽造品と判別できる。
【００１７】
２枚のシート２，３を貫通しないように穴７ａ，７ｂ，７ｃを穿設することは困難であり、特に、各シート２，３の上面側と下面側で穴７ａ，７ｂ，７ｃの配置状態が異なるように、抽選券１の上面側及び下面側から穴７ａ，７ｂ，７ｃの深度を調整して穿設することはレーザ加工のような精密加工可能な装置を用いなければ困難なので、偽造品製造の防止効果を十分になしうる。また、本実施形態では、抽選番号６の数字の奇数、偶数に応じて上位シート２のみを貫通し、下位シート３には達しないように穴７ａと、上位シート２のみならず下位シート３にも及ぶ穴７ｂを形成し、これらの穴７ａ，７ｂの使い分け、すなわち各穴７ａ，７ｂと抽選番号６の各数字との対応関係は、抽選券１を見ても識別不可能なので、偽造防止効果はより向上したものとなる。
【００１８】
続いて、図７〜図１０に基づいて第２実施形態を説明する。図９に示すように、偽造防止用シートたる入場券２１は、上位シート２２と中位シート２３と下位シート２４からなり、これらシート２２，２３，２４を上述した第１実施形態の感圧性接着剤４と同一構成の感圧性接着剤２５によって剥離可能に接着した３層構造の積層シートとなっている。
【００１９】
図７に示すように、上位シート２２の上面には、「入場券」なる表題２６のほか、対戦チーム情報２７、試合日時情報２８、試合場所情報２９、座席情報３０を印刷するとともに、入場券１の上面側からレーザ光を照射して、２本のバットを交差させた図柄３１を設けている。前記図柄３１は、図７では明らかでないが、上位シート２２、中位シート２３を貫通し、下位シート２４には及ばない穴３１ａの非連続的な集合体で構成している（図９参照）。したがって、前記図柄３１は、前記上位シート２２及び中位シート２３の上下両面から視認することができるものである。
【００２０】
また、図８に示すように、入場券２１の下面側からレーザ光を照射して、ボールの図柄３２とグラブの図柄３３を設けている。前記図柄３２は、図８では明らかでないが、下位シート２４を貫通して中位シート２３に非貫通状態で及ぶ穴３２ａの非連続的な集合体で構成している（図９参照）。一方、前記図柄３３は、図８では明らかでないが、下位シート２４を貫通し、中位シート２３には及ばない穴３３ａの非連続的な集合体で構成している（図９参照）。したがって、前記図柄３２は、前記下位シート２４の上下両面及び中位シート２３の下面から視認することができるが、前記図柄３３は下位シート２４の上下両面のみから視認できるものである。
【００２１】
なお、中位シート２３は、入場者の控え券となるもので、図示してはいないが、その上面側には、「入場券控」なる表題のほか、上位シート２２の上面に印刷したのと同一の対戦チーム情報、試合日時情報、試合場所情報、座席情報を印刷してある。また、下位シート２４は抽選券となるもので、その上面側には、図示していないが、抽選番号を印刷してある。
【００２２】
これら図柄３１，３２，３３を構成する各穴３１ａ，３２ａ，３３ａは、上述した第１実施形態におけると同様のレーザ加工により形成するもので、レーザ光の透過深度を調節することにより、図９に示すように、上位シート２２及び中位シート２３を貫通して下位シート２４には及ばない穴３１ａと、下位シート２４を貫通して中位シート２３にも及ぶ穴３２ａと、下位シート２４のみを貫通して中位シート２３には及ばない穴３３ａを形成している。
【００２３】
この入場券２１の使用にあたっては、スタジアムの入場ゲートで入場券２１の上位シート２２及び下位シート２４を中位シート２３から捲り上げて剥離し、各シート２２，２３，２４の各上下両面の図柄３１，３２，３３を確認して、上位シート２２の上下両面が２本のバットを交差させた図柄３１であり、中位シート２３の上面側が２本のバットを交差させた図柄３１で、その下面側が２本のバットを交差させた図柄３１とボールの図柄３２の組み合わせであり、下位シート２４の上下両面がボールの図柄３２とグラブの図柄３３の組み合わせであれば、真正な入場券２１である一方、各シート２２，２３，２４における各図柄３１，３２，３３の状態が前述のものと相違していれば偽造品と判別できる。
【００２４】
そして、中位シート２３は控え券として入場者に手渡す一方、下位シート２４の抽選番号を確認し、あらかじめ選んだ当選番号と一致すれば、無料飲食券などの商品を手渡すものである。
【００２５】
ここで、入場券２１を貫通しないように上下両面方向から穴３１ａ，３２ａ，３３ａを穿設して図柄３１，３２，３３を形成することは困難であり、特に、上位シート２２及び中位シート２３を貫通して下位シート２４には達しない穴３１ａと、下位シート２４を貫通して中位シート２３にも及ぶ穴３２ａと、下位シート２４のみを貫通して中位シート２３には及ばない穴３３ａを穿設することはレーザ加工のような精密加工可能な装置を用いなければ困難であることに加え、前記各穴３１ａ，３２ａ，３３ａを使い分けることによって、中位シート２３の上下面において図柄３１，３２が相違したものになり、これらの図柄３１，３２の相違は入場券２１を見ても識別不可能なので、偽造防止効果はより向上したものとなる。
【００２６】
なお、本発明は上述した各実施形態に限定されるものではなく、例えば、偽造防止用シートは２層あるいは３層の積層シートに限らず、４枚以上のシートを互いに剥離可能に接着した４層以上の積層シートであってもよい。また、第１実施形態にあっては、穴７ａ，７ｂを抽選番号６の各数字と関係付けることなく、上下各面に１個ずつの穴７ａ，７ｂを設ける構成でもよいし、穴７ａ，７ｂで文字や図柄を形成してもよいほか、穴７ａ，７ｂの形状を星形、十字形などで形成してもよい。
【００２７】
また、第２実施形態においては、中位シート２３のみならず、上位シート２２及び下位シート２４の上下面においても異なった図柄３１，３２，３３となるよう構成してもよい。さらに、抽選券としての下位シート２４を設けずに２層構造としてもよい。またさらに、図柄３１，３２，３３も図示のものに限られず、図形や各種文字、あるいは図形と各種文字との組み合わせでもよいものである。さらにまた、偽造防止用シートとしては、抽選券１や入場券２１に限られないことはもちろんである。
【００２８】
【発明の効果】
以上説明したところで明らかなように、本願請求項１の発明によれば、複数のシートを互いに剥離可能に接着してなる積層シートの上下両面に、レーザ光を照射して形成した深度の異なる穴で、少なくとも１枚のシートの上下面での穴の配置状態を異なるようにして、各シートを剥離することで真偽の判別を容易になし得るとともに、このような穴を形成するのはレーザ加工以外では困難なので、偽造防止機能が向上するという効果を奏する。
【００２９】
また、本願請求項２の発明によれば、複数のシートを互いに剥離可能に接着してなる積層シートの上下両面に、レーザ光を照射して形成した深度の異なる連続あるいは非連続的な穴で図柄を構成し、少なくとも１枚のシートの上下面でこの図柄を異なるように形成することにより、偽造防止機能がより向上するとともに、視覚的な真偽の識別がより一層容易になるという効果を奏する。
【図面の簡単な説明】
【図１】第１実施形態を示す抽選券の上面を示す概略的な平面図。
【図２】同じく抽選券の下面を示す概略的な平面図。
【図３】同じくレーザ加工した穴を示す概略的な部分拡大断面図。
【図４】同じく上位シートの下面を示す概略的な平面図。
【図５】同じく下位シートの上面を示す概略的な平面図。
【図６】同じくレーザ加工状態を示す概略的な説明図。
【図７】第２実施形態を示す入場券の上面を示す概略的な平面図。
【図８】同じく入場券の下面を示す概略的な平面図。
【図９】同じくレーザ加工した穴を示す概略的な部分拡大断面図。
【図１０】同じく控え券となる中位シートの下面を示す概略的な平面図。
【符号の説明】
１      抽選券
２，２２      上位シート
３，２４      下位シート
４，２５      感圧性接着剤
７ａ，７ｂ，３１ａ，３２ａ，３３ａ      穴
１０      レーザ発振器
１１      レーザ光
２１      入場券
２３      中位シート
３１，３２，３３      図柄
【図１】
0003886379.tif 000002
【図２】
0003886379.tif 000003
【図３】
0003886379.tif 000004
【図４】
0003886379.tif 000005
【図５】
0003886379.tif 000006
【図６】
0003886379.tif 000007
【図７】
0003886379.tif 000008
【図８】
0003886379.tif 000009
【図９】
0003886379.tif 000010
【図１０】
0003886379.tif 000011